(57)【要約】
【課題】　従来の時計は単に時刻を表示し、報知し、確認させるだけのものであり、これに加えてある特定の情報を発信する機能を兼備した時計を提供する。
【解決手段】　時計文字盤に特定の文字を表示し、それによって連想される事柄に関連ある形状を時計の輪郭とし、関連ある意匠もしくは文字によって時針、分針、秒針もしくはアラーム針を作成し、連想される事柄を時報もしくはアラームによって音声報知する。
【選択図】　図１
0003100291.tif 000002
【実用新案登録請求の範囲】
【請求項１】
　特定の文字を残して他の文字をより目立たない文字にするか、他を抹消もしくは他を文字以外の標識としたことを特徴とする時計の文字盤。
【請求項２】
　請求項１において特定の文字によって連想される事柄に関連ある形状を、時計の正面輪郭もしくは文字盤の輪郭としたことを特徴とする時計。
【請求項３】
　請求項１または２において特定の文字によって連想される事柄を音声で報知することを特徴とする時計。
【請求項４】
　請求項１，２または３において特定の文字によって連想される事柄に関連ある意匠もしくは文字で表現した時針、分針、秒針もしくはアラーム針を持つことを特徴とする時計。
【考案の詳細な説明】
【技術分野】
【０００１】　本考案は文字盤の特定の文字によって連想される事柄に関連する時計の輪郭形状および関連する音声報知および関連する意匠を持つ時針、分針、秒針およびアラー厶針を備えた情報発信の時計に関する。
【背景技術】
【０００２】　従来の時計は単に時刻を表示し、時刻を報知し、時刻を確認させる機能のものである。
【考案の開示】
【考案が解決しようとする課題】
【０００３】　従来の時計は単に時刻を知らせるだけのものであり、文字盤に表示される文字も、時計の正面輪郭形状もしくは文字盤の輪郭形状も、時報およびアラームも、時針、分針、秒針およびアラーム針も、それら自身がなんら特別の意味を持つものではなかった。文字盤に特定の文字のみを表示したり、正面輪郭や文字盤の輪郭が四角形、五角形、六角形、八角形、円形等の形状もしくはそれらの変形のものもあったがあくまで意匠的なものとしてであり特別の意図があるものではなかった。
　本考案はこのような従来の時刻を表示するのみの時計に加えて、ある特定の情報を発信する機能を兼備した時計を提供する目的でなされたものである。
【課題を解決するための手段】
【０００４】　上記目的を達成するために、本考案の時計においては文字盤に特定の文字のみを拡大表示し他の文字はより目立たない意匠として表示するか、特定の文字のみを表示し他を抹消もしくは文字以外の標識として表示する。【０００５】　また文字盤に表示した特定の文字によって連想される事柄に関連ある形状を時計の正面輪郭もしくは文字盤の輪郭とする。【０００６】　また文字盤に表示した特定の文字によって連想される事柄を時報もしくはアラームの音声で連呼するものとする。【０００７】　さらに文字盤に表示した特定の文字によって連想される事柄に関連ある意匠によって時針、分針、秒針もしくはアラーム針を作成し、また必要に応じて連想される文字を時針、分針、秒針もしくはアラーム針に表記する。
　本考案は以上のごとく構成された時計に関するものである。
【考案の効果】
【０００８】　時計は毎日必ず見るものである。本考案のこの時計は文字盤の文字の連想から視覚と聴覚に繰り返し訴えることにより、潜在意識に連想される事柄の強烈な印象を植え付けることができる。
　訴える目的に応じて、応援、激励、警告、告示、広告、宣伝等に利用が可能である。本考案のこの時計によってあるときは励まし勇気付けられ、あるときは慰め癒される。また繰り返し注意を喚起したり、啓蒙したりすることもできる。広告として利用されるならば、強力な宣伝媒体として大きな経済効果が期待できる。
　本考案は従来の時計と異なる意外性と連想による娯楽性そして音声による訴求性が三位一体となって強力なメッセージを発信する、ある意味ロボットのような役目を果たす時計に関するもであるといえる。
【考案を実施するための最良の状態】
【０００９】　考案の形態を簡単に説明し、以下具体的に詳細な実施例を図面を参照に解説する。
　まず文字盤の文字によって強く訴えたい事柄を、語呂合わせで表現する。図２において、６（１５）と９（１５）は「ロック」と読めるので「施錠する」という意味を連想させる。次に文字盤（８）に６（１５）と９（１５）の数字のみを、または６（１５）と９（１５）を他の文字もしくは標識より拡大して表示する。さらに６（１５）と９（１５）は「ロッカク」とも読めるので、正面輪郭形状（１３）は六角形とする。
　また時報もしくはアラーム（１２）の音声は「ロック、ロック」と連呼するものとする。また時針（９）および分針（１０）を「鍵」の意匠で表現する。この結果、「防犯のための警告する時計」（２）が完成する。
　正面輪郭形状（１３）については三角形、四角形、五角形、六角形、八角形、十角形、円形等連想できる輪郭であればどのような形状でも対応が可能である。また例えば六角形は六角であれば足りるのであって、登録意匠として六角形の正面輪郭形状（１３）が存在したとしても、これに抵触するのを避けることができる。
【実施例１】
【００１０】　図１に示される実施例は「合格目覚まし時計」（１）と称する。文字盤（８）に残す文字を５（２１）と９（２１）および１（２２）と２（２２）とする。５（２１）と９（２１）は「ゴーカク」と読めるので、「合格」と連想する。文字盤（８）の文字は５（２１）と９（２１）を拡大表示し、１（２２）と２（２２）をより目立たない文字で表示し、他は抹消もしくは文字以外の標識とする。また５（２１）と９（２１）は「ゴカク」とも読めるので「五角」と連想し時計の正面輪郭形状（１３）は五角形とする。文字盤の輪郭（１４）は円形とする。
　また寸暇を惜しんで勉学に励むという意図から時針（９）、分針（１０）、秒針（１１）およびアラーム針（１２）は筆記用具の意匠とする。つまり時針（９）および分針（１０）は万年筆、秒針（１１）はペン軸そしてアラーム針（１２）は鉛筆とする。万年筆の形に意匠化した時針（９）および分針（１０）のペン先（２３）にはそれぞれ「合」、「格」の字を表記する。これにより時針（９）および分針（１０）が１時（２２）、２時（２２）を指示したときに、一次、二次の各試験に「合」、「格」と連想できる。
　さらに時報もしくはアラーム（１２）は「ゴーカク、ゴーカク」を連呼するものとし時報は１秒前つまり５９分５９秒になると発するものとする。
　本考案は、受験生が「合格」を潜在意識に徹底的に染み込ませ、「合格」を空想から確信に変えるとともに、味気ない受験生活にユーモアと激励を与える時計に関するものである。時刻を確認するたびに「合格」を意識し、連想し、時報やアラームで激励されるならば「必ず合格できる」という揺るぎ無い自信がわいてくるはずである。
【実施例２】
【００１１】　図３に示される実施例は「京阪神観光ＰＲ時計」（３）と称する。京阪神三都市を「三都市」と表現し３（１６）、１０（１６）および４（１６）で「サントシ」と読み「三都市」を連想させる。時計文字盤（８）に３（１６）、４（１６）および１０（１６）を拡大表示し他の文字は目立たない意匠とする。正面輪郭形状（１３）は「三都市」の位置関係から三角形としそれぞれの頂点に京都（１７）、大阪（１７）、神戸（１７）の地名を表記する。また時報もしくはアラーム（１２）は「サントシ、サントシ」の音声で連呼するものとする。
　旅行用目覚まし時計として商品化すれば京阪神の観光ＰＲに一役買う効果が期待できる。
【実施例３】
【００１２】　図４に示される実施例は「四国ＰＲ時計」（４）と称する。時計の文字盤（８）に４（１８）、５（１８）および９（１８）を拡大表示し他の文字は目立たない意匠として「シコク（四国）」と読むこととする。「シコク」は「シカク（四角）」の音を連想させるので時計の正面輪郭形状（１３）は長方形とし、中央に四角形の輪郭（１４）の文字盤（８）を配置する。また四国４県の地理的位置関係からそれぞれの県名（１９）を正面輪郭形状（１３）の四隅に表記する。また時報もしくはアラー厶（１２）は「シコク、シコク」の音声で連呼するものとする。
　文字盤（８）の４（１８）、５（１８）、および９（１８）の拡大表示と時報の「シコク、シコク」の連呼により四国を強く印象付け、加えて各県名（１９）とその位置を知らしめることになる。また余白に観光地名や特産品（２０）、企業名や商店名などを表記すれば広告媒体として強力な武器となる。
【実施例４】
【００１３】　図５に示される実施例は「反核平和時計」（５）と称する。時計文字盤（８）に４（２４）、５（２４）、８（２５）、６（２６）および９（２６）の文字のみを表示し、他は目立たない標識とする。８（２５）、６（２６）および９（２６）は他の文字より拡大して表示し、さらに８（２５）には「月」、６（２６）および９（２６）には「日」の字をそれぞれ加えて、１９４５年８月６日および９日の広島および長崎の原爆の日を表現する。
　また８（２５）と９（２６）は「ハンカク」と読め、「反核」を連想させ、「ハチカク」とも読めるので、時計正面輪郭（１３）は八角の形状とする。時報もしくはアラーム（１２）は「ハンカク、ハンカク」を連呼するものとする。
　人類最大の悲劇である原爆投下の日を決して忘れることなく、加えて反核平和を永遠に訴える効果が期待できる。
【実施例５】
【００１４】　図６に示される実施例は「当確当選時計」（６）と称する。時計文字盤（８）に１（２７）、９（２８）および１０（２８）の文字を拡大表示し、他の文字はより目立たない意匠とする。また１（２７）は１．０００と表わすこととし、１０（２８）と９（２８）は「トーカク」と読み、１０（２８）と１．０００（２７）は「トーセン」と読めるので、それぞれ「当確」、「当選」と連想される。
　　さらに、「目標」（３４）、「万票」（３４）、「千票」（３４）の各シールを準備しておき、目標に応じて時刻の数字の前後に貼付する。また１０（２８）と９（２８）は「ジュウカク」と読めるので「十角」と連想し、時計輪郭形状（１３）は十角形とする。時報は「トーカク、トーカク」、「トーセン、トーセン」、もしくは「トーカク、トーセン」の音声で連呼するものとする。
　選挙事務所の掛け時計として利用されるならば、候補者を激励し、支援者への一致団結を促すこと必定である。
【実施例６】
【００１５】　図７に示される実施例は「家庭円満しあわせ時計」（７）と称する。時計文字盤（８）に１（２９）、３（２９）、７（２９）および８（２９）の文字を拡大表示し、他の文字をより目立たない意匠とする。３（２９）、７（２９）、８（２９）、１（２９）は「ミンナハッピイー」と読めるので「家庭円満」を連想させる。時報もしくはアラーム（１２）は「ハッピー、ハッピー」を連呼するものとする。さらに時計文字盤（８）の輪郭形状（１４）および正面輪郭形状（１３）は円形とする。文字盤（８）の外周部分（３０）には充分な余白を確保し、該外周部分（３０）に貼付でき、書き込み可能な横長長方形のシール（３１，３２，３３）を準備しておく。
　文字盤（８）の時刻を表示する各文字は１月〜１２月を表現するものとみなす。書き込み可能なシール（３１，３２，３３）には例えば１０月２０日が結婚記念日であれば「２０日結婚記念日」（３１）と記入し１０時の外周部分に貼付する。また家族の誕生日には「５日太郎誕生日」（３２）、命日には「２５日祖父命日」（３３）の如く記入して該時刻（月）の外周部分に貼付する。なお外周部分（３０）を書き込みや消去の可能な材質で構成すれば、今後の予定（３５）を書き込んでおくこともできる。
　人間は丸く生れて喜ばれ、丸い人生（学校ではマルを求め、会社ではマルのために頑張る）を送り、最後は丸い壺に納まる。丸はすべてのしあわせにつながる。誕生日（３２）にはみんなで喜び合い、結婚記念日（３１）にはお互いの気持ちを確認しあい、命日（３３）には改めて祖先に感謝する。苦しいときも時報やアラーム（１２）の「ハッピー、ハッピー」の音声に励まされ、助けられる。まさに「ミンナハッピイー」になれる時計である。
【図面の簡単な説明】
【００１４】
【図１】「合格目覚まし時計」を示した正面図である。
【図２】「防犯のための警告する時計」を示した正面図である。
【図３】「京阪神観光ＰＲ時計」を示した正面図である。
【図４】「四国ＰＲ時計」を示した正面図である。
【図５】「反核平和時計」を示した正面図である。
【図６】「当確当選時計」を示した正面図である。
【図７】「家庭円満しあわせ時計」を示した正面図である。
【符号の説明】
【００１５】１，２，３，４，５，６，７　　　　連想させる時計
８　　　　　文字盤
９　　　　　時針
１０　　　　分針
１１　　　　秒針
１２　　　　アラーム針
１３　　　　正面輪郭形状
１４　　　　文字盤輪郭形状
１５，１６，１８，２１，２２，２４，２５，２６，２７，２８，２９　　　　表示もしくは拡大表示する文字
１７，１９　　　　表記する地名
２０　　　　表記する特産品
２３　　　　ペン先
３０　　　　外周部分
３１，３２，３３　　　　書き込み可能な貼付シール
３４　　　　「目標」、「万票」、「千票」の貼付シール
３５　　　　予定日の書き込み
【図１】
0003100291.tif 000003
【図２】
0003100291.tif 000004
【図３】
0003100291.tif 000005
【図４】
0003100291.tif 000006
【図５】
0003100291.tif 000007
【図６】
0003100291.tif 000008
【図７】
0003100291.tif 000009